(57)【要約】【課題】  空気調整機器において、就寝者の枕元等に機器を置いた場合に身体が当たっても機器が転倒しないようにし、液状組成物が漏出しないようにする。【解決手段】  空気調整機器１は、液状組成物を蒸発させてその有効成分を室内空気中に浮遊させるものであり、外装ケース２内に、液状組成物が充填された薬用容器と、液状組成物を加熱するヒータと、蒸発した液状組成物の有効成分を室内空気中に送出するファンと、を内装し、ヒータ及びファン駆動用の電源を供給する電源コード１０を持つユニバーサルコンセント１１が機器に対して回転自在かつ傾動自在に接続される。これにより、機器使用時に、機器の動きが制約されなくなり、機器の転倒が防止され、液状組成物が漏出することがなくなる。液状組成物は、食欲抑制剤を含有しているものが好ましい。【選択図】図１
0003131436.tif 000002
【実用新案登録請求の範囲】
【請求項１】
液状組成物を蒸発させてその有効成分を室内空気中に浮遊させる空気調整機器において、
外装ケースと、
前記外装ケース内に装填された、液状組成物が充填された薬用容器と、
前記外装ケース内に設けられた、前記液状組成物を加熱するヒータと、
前記外装ケース内に設けられた、前記により蒸発した液状組成物の有効成分を室内空気中に送出するファンと、
前記外装ケースの側面に設けられ、前記ヒータ及びファン駆動用の電源を供給するための電源コード側の雌プラグが着脱自在に差し込まれる雄プラグと、を備え、
外装ケースは、転倒防止のために低い位置が重心となるように構成され、
前記雌プラグ及び雄プラグは、前記雌プラグが前記雄プラグに対して回転摺動自在で、かつ、電源コード側を傾動自在とするユニバーサルコンセントを構成したことを特徴とする空気調整機器。
【請求項２】
前記雄プラグは、軸方向に離間した少なくとも２つの円周電極を持ち、
前記雌プラグは、
前記雄プラグを受け入れる凹部を有し、前記雄プラグの各円周電極に摺接する弾性電極を保持する内ボディと、この内ボディを傾動自在に保持し、前記弾性電極と導通させた電源コードの電線が通る外ボディと、を持つことで、前記ユニバーサルコンセントを構成したことを特徴とする請求項１に記載の空気調整機器。
【考案の詳細な説明】
【技術分野】
【０００１】
本考案は、液状組成物を蒸発させてその有効成分を室内空気中に浮遊させる空気調整機器に関する。
【背景技術】
【０００２】
従来から、液状組成物を蒸発させてその有効成分を室内空気中に浮遊させる空気調整機器として芳香器が知られている。この種の機器において、機器が転倒したときに液状組成物が外部に漏出しないようにしたものが知られている（例えば、特許文献１参照）。
【特許文献１】特開２００１−１４９４５８号公報
【考案の開示】
【考案が解決しようとする課題】
【０００３】
ところが、このような転倒対策を施した機器にあっても、徐々に液状組成物が漏出することがある。特に、ユーザが就寝時に使用するに適した機器、例えば、有効成分として食欲抑制剤を含有した液状組成物を蒸発させる空気調整機器にあっては、可能な限り就寝者の枕元等に機器を置くことが効果的であるが、その場合、就寝者は睡眠中に身体を動かして、無意識に機器を引っ繰り返し易く、問題があった。
また、機器は、その重心を低くして転倒し難いように設計されるが、機器に電源コードが接続されると、この電源コードの剛性が機器の動きを制約して、機器の転倒抑制が正常に機能しなくなる。そこで、電源コードとして細くて柔軟性の高いものを用いるが、ヒータ等を持つ機器の場合、電流容量等の関係から、電源コードの柔軟性向上にも限界がある。
【０００４】
本考案は、このような問題を解消するものであり、就寝者の枕元等に機器を置いた場合に身体が当たっても機器が転倒しないようにし、液状組成物が漏出しないようにした空気調整機器を提供することを目的とする。
【課題を解決するための手段】
【０００５】
本考案は、上記目的を達成するために成されたものであり、液状組成物を蒸発させてその有効成分を室内空気中に浮遊させる空気調整機器において、外装ケースと、前記外装ケース内に装填された、液状組成物が充填された薬用容器と、前記外装ケース内に設けられた、前記液状組成物を加熱するヒータと、前記外装ケース内に設けられた、前記により蒸発した液状組成物の有効成分を室内空気中に送出するファンと、前記外装ケースの側面に設けられ、前記ヒータ及びファン駆動用の電源を供給するための電源コード側の雌プラグが着脱自在に差し込まれる雄プラグと、を備え、外装ケースは、転倒防止のために低い位置が重心となるように構成され、前記雌プラグ及び雄プラグは、前記雌プラグが前記雄プラグに対して回転摺動自在で、かつ、電源コード側を傾動自在とするユニバーサルコンセントを構成したものである。
また、前記雄プラグは、軸方向に離間した少なくとも２つの円周電極を持ち、前記雌プラグは、前記雄プラグを受け入れる凹部を有し、前記雄プラグの各円周電極に摺接する弾性電極を保持する内ボディと、この内ボディを傾動自在に保持し、前記弾性電極と導通させた電源コードの電線が通る外ボディと、を持つことで、前記ユニバーサルコンセントを構成したものが好ましい。
【考案の効果】
【０００６】
本考案によれば、機器に電源コードがユニバーサルコンセントを介して接続されているので、機器の動きが電源コードによって制約され難くなり、そのため、機器使用時に機器に身体が当たっても、機器の転倒が抑制され、液状組成物が漏出することがなくなる。有効成分として食欲抑制剤を含有している液状組成物を蒸発させる機器の場合、機器が就寝者の枕元等に置かれて使用されても問題がなく、有効成分をユーザに効率的に与えることができ、食欲抑制効果を高めることができる。
また、上記のようなユニバーサルコンセントを用いることで、簡単な構成で安価に機器の動きを制約しない構造を提供できる。
【考案を実施するための最良の形態】
【０００７】
以下、本考案の一実施形態に係る空気調整機器について、図１及び図２を参照して説明する。空気調整機器１は、液状組成物を蒸発させてその有効成分を室内空気中に浮遊させるものであり、玉子形状又は球形状とされ、転倒防止のために低い位置が重心となるように構成され外装ケース２を備える。この外装ケース２の側面の凹形状空間２１ｂには、外装ケース２内に設けられたヒータ４及びファン５を駆動するための電源をＡＣ電源から供給するための着脱自在なユニバーサルコンセント１１が配置される。ユニバーサルコンセント１１は、外装ケース２の動きが制約されないように、外装ケース２に対して回転自在かつ傾動自在な電源接続構成（詳細は後述）であり、電源コード１０が導出され、電源コード１０の先端側にＡＣ電源コンセント（図示なし）に接続されるプラグ１０ａが設けられている。
【０００８】
外装ケース２は、互いに嵌合係止される、樹脂又は金属成形品の下部体２１と樹脂成形品の上蓋体２２とから成る。外装ケース２の下部体２１の内面は椀形状とされ、その椀形状内に、薬用容器３が交換自在に装填される。薬用容器３は、透明又は半透明材質から成り、内部に液状組成物３１が充填されている。外装ケース２の下部体２１には、薬用容器３の残量を外部から視認するための長孔状の窓２１ａが形成されている。
【０００９】
外装ケース２の上蓋体２２の内部には、液状組成物３１を加熱するヒータ４と、蒸発した液状組成物３１の有効成分を室内空気中に送出するファン５と、ファン５の重量バランス用の重り９が内装固定されている。また、上蓋体２２の頂部には機器オン／オフ用のスイッチ２３と、ＬＥＤによるオン表示構造が設けられている。
【００１０】
薬用容器３は、下部体２１の椀形状に対応した形状とされ、下部体２１にビルトインされている。この薬用容器３は、上面に開口を持ち、この開口には、液状組成物３１を毛細管現象により蒸発させるための芯３２が設けられている。ヒータ４は、芯３２が導出される薬用容器３の開口付近に臨むように上蓋体２２に配設され、薬用容器３を５０〜６０℃程度に加熱できるものでよい。ファン５は、モータ駆動式であり、適宜の固定部材で上蓋体２２に固定される。ファン５と重り９とは、芯３２を挟んで両側に配置される。なお、重り９の部位には、制御回路が配置されればよい。
【００１１】
外装ケース２の上蓋体２２には、空気吸入口２２ａと、空気吐出口２２ｂとが設けられている。上蓋体２２は下部体２１に回り止め嵌合結合されるようにしておけばよい。下部体２１の側面の凹形状空間２１ｂには、ユニバーサルコンセント１１の構成部材としての雄プラグ１８が設けられている。この雄プラグ１８を通して機器内のヒータ４やファン５に電源が供給される。なお、下部体２１の下方内部には、外装ケース２全体の重心を下方にするためのウェイトを配置することが望ましい。
【００１２】
また、液状組成物３１には、例えば、有効成分として食欲抑制剤を含有しているものを用いる。この場合、空気調整機器１は、ダイエット用の機器として使用される。このような液状組成物３１は、例えば、特許第３８３９８３２号に示されるようなものを用いればよい。
【００１３】
次に、ユニバーサルコンセント１１の詳細構成について、図３乃至図６を参照して説明する。ユニバーサルコンセント１１は、上記の下部体２１の凹形状空間２１ｂ内に設けられた雄プラグ１８と、この雄プラグ１８に着脱自在に差し込まれる、外ボディ１２及び内ボディ１３を含む雌プラグ１９と、から構成される。雌プラグ１９は、凹形状空間２１ｂ内に挿入された状態で、自由に回転可能、かつ傾動可能とされている。つまり、雌プラグ１９は、雄プラグ１８に対して回転摺動自在（図３の矢印Ｂ方向）、かつ、電源コード１０側を傾動自在（図３の矢印Ａ方向）とするものである。
【００１４】
雌プラグ１９を構成する部材としての、外ボディ１２は、平面視Ｕ字形状とされ、内ボディ１３を軸部材１４により回転自在に保持する。また、内ボディ１３は、雄プラグ１８を受け入れる凹部１５を有し、この凹部１５内に臨んで、雄プラグ１８の２つの円周電極１８ｂ，１８ｃに摺接する弾性電極１６，１７を保持する。外ボディ１２及び軸部材１４には、弾性電極１６，１７と導通させた電源コード１０の電線が通る。
【００１５】
雄プラグ１８は、図６に示されるように、軸方向先端側の円錐状絶縁部１８ａと、軸方向に離間した２つの円周電極１８ｂ，１８ｃとを持つ。円周電極１８ｂ，１８ｃからは、電線１８ｄがそれぞれ導出されている。
【００１６】
上記のように構成された空気調整機器１は、使用時に床面上に設置され、ヒータ４に通電させると共に、ファン５をモータ駆動する。これにより、薬用容器３が加熱され、薬用容器３内の液状組成物３１が蒸発し、蒸発した液状組成物３１の有効成分がファン５により上蓋体２２の空気吐出口２２ｂを通して機器外部に吐出される。そして、いま、外装ケース２にユーザの身体等が当たって外力が加えられて、外装ケース２が傾いたとしても、外装ケース２の形状と機器全体としての重心が低くなっていることから、外装ケース２は元の状態に復帰し、機器が転倒することは防止される。このため、液状組成物３１が漏出することがない。
【００１７】
さらに、ユニバーサルコンセント１の雌プラグ１９は、簡単な構成により、雄プラグ１８に対して回転自在かつ傾動自在とすることができ、このようなユニバーサルコンセント１１を介して機器１に電源コード１０を接続するため、従来の電源コード接続構成のように、外装ケース２の動きを制約することがなくなる。従って、機器の転倒防止を安価かつ確実に得ることができる。
【００１８】
また、蒸発させる液状組成物３１の有効成分として食欲抑制剤を含有しているものである場合、機器１が就寝者の枕元等に置かれて使用されても問題がなくなるので、ユーザの睡眠中に、蒸発した液状組成物３１の有効成分を効率的に吸気させることができ、もって、食欲抑制効果を高めることができる。
【００１９】
なお、本考案は、上記実施形態の構成に限られることなく、考案の趣旨を変更しない範囲で種々の変形が可能である。例えば、液状組成物３１の有効成分として、芳香剤を用いてもよい。
【図面の簡単な説明】
【００２０】
【図１】本考案の一実施形態に係る空気調整機器の斜視図。
【図２】同空気調整機器の断面図。
【図３】同空気調整機器に電源コードを接続するためのコンセントの斜視図。
【図４】（ａ）は同コンセントの平面図、（ｂ）は同コンセントの側面図。
【図５】同コンセントの断面図。
【図６】同コンセントの雄プラグの部分側断面図。
【符号の説明】
【００２１】
１  空気調整機器
２  外装ケース
２１  下部体
２１ｂ  凹形状空間
２２  上蓋体
３  薬用容器
３１  液状組成物
４  ヒータ
５  ファン
１０  電源コード
１１  ユニバーサルコンセント
１２  外ボディ
１３  内ボディ
１４  軸部材
１５  凹部
１６，１７  弾性電極
１８  雄プラグ
１８ｂ，１８ｃ  円周電極
１９  雌プラグ
【図１】
0003131436.tif 000003
【図２】
0003131436.tif 000004
【図３】
0003131436.tif 000005
【図４】
0003131436.tif 000006
【図５】
0003131436.tif 000007
【図６】
0003131436.tif 000008